(57)【要約】モータ１の電源線２に流れる交流電流を計測する電流計測手段１１などの計測手段と、上記計測された電流値などの計測値を増幅して上記計測値の大きさを検出する検出回路１２と、上記検出された計測値の大きさを時間間隔（継続時間）に変換する信号変換部１３と、所定時間毎に、上記時間間隔だけＯＮ状態あるいはＯＦＦ状態が継続するＯＮ／ＯＦＦ信号を順次出力するＯＮ／ＯＦＦ信号出力部１４とを備え、生産ラインのモータ電流等の、所定時間毎の計測値の監視等に用いられる計測値を、所定時間毎に、上記計測値の大きさに対応するパルス幅を有するパルス信号（デジタル信号）として出力するようにした。
2003065059.tif 000002
【特許請求の範囲】
【請求項１】
計測器あるいはセンサにより計測された計測値を入力し、上記計測値をその大きさに対応する時間幅に変換する信号変換手段と、所定の時間毎に、上記時間幅に対応する時間だけＯＮ状態あるいはＯＦＦ状態が継続するＯＮ／ＯＦＦ信号を出力する計測値出力手段とを備えたことを特徴とする計測値の出力装置。
【請求項２】
上記信号変換手段の前段に、複数の計測器あるいはセンサに接続され、上記各計測器あるいはセンサからの出力を選択して信号変換手段に出力する入力信号切換手段を設けたことを特徴とする請求の範囲１に記載の計測値の出力装置。
【請求項３】
計測器あるいはセンサにより計測された計測値を入力し、上記計測値をその大きさに対応する時間幅に変換する信号変換手段と、所定の時間毎に、上記時間幅に対応する時間だけＯＮ状態あるいはＯＦＦ状態が継続するＯＮ／ＯＦＦ信号を出力する計測値出力手段とを備えた計測値変換装置を複数台備え、上記変換された複数のＯＮ／ＯＦＦ信号を所定の時間間隔で順次出力するようにしたことを特徴とする計測値の出力装置。
【請求項４】
上記ＯＮ／ＯＦＦ信号の前に、当該計測値を表わすパルス信号を出力するようにしたことを特徴とする請求の範囲２または請求の範囲３に記載の計測値の出力装置。
【請求項５】
請求の範囲１〜請求の範囲４のいずれかに記載の計測値の出力装置と、この出力装置から出力されたＯＮ／ＯＦＦ信号のＯＮ時間またはＯＦＦ時間の長さを監視する監視手段とを備えたことを特徴とする計測値監視装置。
【請求項６】
導線に流れる電流を計測する電流計測手段と、所定の時間毎に、上記計測された電流の大きさに対応する時間だけＯＮ状態あるいはＯＦＦ状態が継続するＯＮ／ＯＦＦ信号を順次出力するＯＮ／ＯＦＦ信号出力手段とを備えたことを特徴とする電流値出力装置。
【請求項７】
導線に流れる電流を計測する電流計測手段と、所定の時間毎に、上記計測された電流の大きさに対応する時間だけＯＮ状態あるいはＯＦＦ状態が継続するＯＮ／ＯＦＦ信号を順次出力するＯＮ／ＯＦＦ信号出力手段とを備えた電流値変換装置を複数台備え、上記変換された複数のＯＮ／ＯＦＦ信号を所定の時間間隔で順次出力するようにしたことを特徴とする電流値出力装置。
【請求項８】
上記ＯＮ／ＯＦＦ信号の前に、検出対象を表わすパルス信号を出力するようにしたことを特徴とする請求の範囲７に記載の電流値出力装置。
【請求項９】
請求の範囲６〜請求の範囲８のいずれかに記載の電流値出力装置と、この電流値出力装置から出力されたＯＮ／ＯＦＦ信号のＯＮ時間又はＯＦＦ時間の長さを監視する監視手段とを備えたことを特徴とする電流監視装置。
【請求項１０】
上記ＯＮ／ＯＦＦ信号のＯＮ時間又はＯＦＦ時間の長さが所定の時間以上継続した場合にはパルス信号を出力する手段と、上記出力されたパルスのパルス数を積算する手段と、上記積算されたパルス数が所定の値を超えたときに警報を発する警報手段とを備えたことを特徴とする請求の範囲９に記載の電流監視装置。
【発明の詳細な説明】
技術分野
本発明は、計測器や各種センサで計測される電流や変位量、あるいは、圧力などの情報信号を取り込んで、上記計測された計測値を出力する装置と、この装置を用いた電流監視装置に関するものである。
背景技術
従来、導線に流れる電流や、測定物の変位量、容器内の圧力などを計測する計測値出力装置は、電流センサ、差動変圧器、圧力センサなどの各種センサにより電流、変位量、圧力などを計測し、上記計測されたアナログ信号を専用の装置に取り込み、電流、変位量、圧力などの計測値の大きさを表わすデジタル信号に変換して外部に出力する構成が一般的である。
例えば、第１４図に示すような、生産ラインのモータの監視装置に用いられる電流値出力装置６０においては、モータ１の電源線２に流れる交流電流ｉを電流計測手段６１で計測し、この計測された電流信号を検出回路６２にて増幅して上記電流値の大きさを検出した後これをＡ／Ｄ変換器６３に送り、このＡ／Ｄ変換器６３でデジタル信号に変換された電流値の大きさを、マイクロコンピュータ７０を介して、電流監視手段８０に出力し、上記計測された電流値の時間変化を監視するようにしていた。
しかしながら、上記従来の電流値出力装置６０では、検出された電流値の大きさ（計測値）をデジタル値で出力するようにしているため、上記Ａ／Ｄ変換器６３などのような専用の機器が必要であり、更に、マイクロコンピュータ７０へ接続するには、計測値の精度にもよるが、通常、８本以上の接続線が必要であることから配線も大変であった。
また、生産ラインのモータ電流の監視などのように、リアルタイムの計測が必要でない用途の場合には、第１５図に示すように、所定時間毎に電流値を監視すれば十分であり、上記のように常時計測値（電流値）を出力する装置はオーバースペックであり、効率的ではなかった。
本発明は、従来の問題点に鑑みてなされたもので、簡単な構成で、所定時間毎の計測値の監視等に用いられる計測値を出力する計測値出力装置、上記出力値を監視する計測値監視装置、及び、所定時間毎に電源線などに流れる電流値を出力する電流値出力装置、上記電流値を監視する電流監視装置を提供することを目的とする。
発明の開示
本発明者らは鋭意検討の結果、センサで検出された計測値の大きさを連続的に、すなわち、アナログ信号として出力するのではなく、所定時間毎に１個のパルス信号（デジタル信号）として出力するとともに、上記計測値の大きさの情報を上記パルス信号のパルス幅として表わすことにより、上記目的を達成することができることを見いだし本発明に到ったものである。
すなわち、本発明の請求の範囲１に記載の発明は、計測器あるいはセンサにより計測された計測値を出力する計測器出力装置であって、上記計測された計測値を入力し、上記計測値をその大きさに対応する時間幅に変換する信号変換手段と、所定の時間毎に、上記時間幅に対応する時間だけＯＮ状態あるいはＯＦＦ状態が継続するＯＮ／ＯＦＦ信号を出力する計測値出力手段とを備えたものである。これにより、簡単な構成で、所定時間毎に計測値の大きさを表わす信号を出力することが可能となる。
請求の範囲２に記載の発明は、請求の範囲１に記載の計測器出力装置において、上記信号変換手段の前段に、複数の計測器あるいはセンサに接続され、上記各計測器あるいはセンサからの出力を選択して信号変換手段に出力する入力信号切換手段を設けたもので、これにより、上記複数の計測器あるいはセンサの計測値の大きさを表わす信号を出力することが可能となる。
また、請求の範囲３に記載の発明は、複数の計測器あるいはセンサにより計測された計測値を順次出力するための計測器出力装置であって、計測器あるいはセンサにより計測された計測値を入力し、上記計測値をその大きさに対応する時間幅に変換する信号変換手段と、所定の時間毎に、上記時間幅に対応する時間だけＯＮ状態あるいはＯＦＦ状態が継続するＯＮ／ＯＦＦ信号を出力する計測値出力手段とを備えた計測値変換装置を複数台備え、上記変換された複数のＯＮ／ＯＦＦ信号を所定の時間間隔で順次出力するようにしたことを特徴とするものである。これにより、簡単な構成で、所定時間毎に計測値の大きさを表わす複数の信号をシリーズに出力することが可能となる。
請求の範囲４に記載の発明は、請求の範囲２または請求の範囲３に記載の計測値出力装置において、上記ＯＮ／ＯＦＦ信号の前に、当該計測値を表わすパルス信号を出力するようにしたものである。
また、請求の範囲５に記載の発明は、計測器あるいはセンサにより計測された計測値の大きさを監視するための計測値監視装置であって、請求の範囲１〜請求の範囲４のいずれかに記載の計測値出力装置と、この出力装置から出力されたＯＮ／ＯＦＦ信号のＯＮ時間またはＯＦＦ時間の長さを監視する監視手段とを備え、上記ＯＮ／ＯＦＦ信号のＯＮ時間またはＯＦＦ時間の長さを計測して上記計測値を監視するようにしたものである。
また、請求の範囲６に記載の発明は、導線に流れる電流を計測して出力する電流値出力装置であって、導線に流れる電流を計測する電流計測手段と、所定の時間毎に、上記計測された電流の大きさに対応する時間だけＯＮ状態あるいはＯＦＦ状態が継続するＯＮ／ＯＦＦ信号を順次出力するＯＮ／ＯＦＦ信号出力手段とを備えたものである。
請求の範囲７に記載の発明は、複数の導線に流れる電流をそれぞれ計測して出力する電流値出力装置であって、導線に流れる電流を計測する電流計測手段と、所定の時間毎に、上記計測された電流の大きさに対応する時間だけＯＮ状態あるいはＯＦＦ状態が継続するＯＮ／ＯＦＦ信号を順次出力するＯＮ／ＯＦＦ信号出力手段とを備えた電流値変換装置を複数台備え、上記変換された複数のＯＮ／ＯＦＦ信号を所定の時間間隔で順次出力するようにしたものである。
請求の範囲８に記載の発明は、請求の範囲７に記載の電流値出力装置において、上記ＯＮ／ＯＦＦ信号の前に、計測される導線のコードなどのような、検出対象を表わすパルス信号を出力するようにしたものである。
また、請求の範囲９に記載の発明は、電流計測手段により計測された電流値の大きさを監視するための電流監視装置であって、請求の範囲６〜請求の範囲８のいずれかに記載の電流値出力装置と、この電流値出力装置から出力されたＯＮ／ＯＦＦ信号のＯＮ時間又はＯＦＦ時間の長さを監視する監視手段とを備えたものである。
請求の範囲１０に記載の発明は、請求の範囲９に記載の電流監視装置において、上記ＯＮ／ＯＦＦ信号のＯＮ時間又はＯＦＦ時間の長さが所定の時間以上継続した場合にはパルス信号を出力する手段と、上記出力されたパルスのパルス数を積算する手段と、上記積算されたパルス数が所定の値を超えたときに警報を発する警報手段とを備えたものである。
発明を実施するための最良の形態
以下、本発明の最良の形態について、図面に基づき説明する。
最良の形態１．
第１図は、本最良の形態１に係る電流値出力装置１０の構成を示す図で、同図において、１１はモータ１の電源線２に流れる電流を計測する電流計測手段、１２は上記計測された電流信号を増幅して電流値の大きさを検出する検出回路、１３は上記検出された電流値の大きさを時間間隔（継続時間）に変換する信号変換部、１４は所定時間毎に、上記時間間隔だけＯＮ状態あるいはＯＦＦ状態が継続するＯＮ／ＯＦＦ信号を順次出力するＯＮ／ＯＦＦ信号出力部である。
上記構成の電流値出力装置１０は、検出された電流値の大きさをデジタル信号として出力する際に、１個のパルス信号（ＯＮ／ＯＦＦ信号）として出力するもので、上記電流値の大きさの情報を上記パルス信号のパルス幅として表わす。
具体的には、所定時間Ｔｐ毎に出力レベルをＯＦＦ状態からＯＮ状態に切換え、上記信号変換部１３で算出された電流値の大きさに相当する継続時間が経過した後に、上記出力をＯＮ状態からＯＦＦ状態に戻すようにする。これにより、第２図に示すように、例えば、電流値が２．７Ａ，２．８Ａ，２．７Ａと変化した場合には、所定時間Ｔｐ毎に継続時間（パルス幅）が２．７ｓｅｃ，２．８ｓｅｃ，２．７ｓｅｃであるＯＮ／ＯＦＦ信号（パルス信号）が出力端子１０ａ，１０ｂから出力される。
このように、本例の電流値出力装置１０は、計測値を２値の信号として出力するようにしているので、例えば、マイクロコンピュータなどへ接続する際にも、接続線が２本（信号線は１本）で済むといった利点を有する。
また、本発明による電流値出力装置１０を用いることにより、例えば、第３図に示すような電源電流監視装置２０を構成することが可能である。
この電源電流監視装置２０は、上記構成の電流値出力装置１０を備え、この電流値出力装置１０により、モータ１などの駆動装置の電源線２の電流値を計測し、これをＯＮ／ＯＦＦ信号Ｐｋで出力するとともに、このＯＮ／ＯＦＦ信号ＰｋのＯＮ時間の長さを監視してモータ電流を監視するもので、具体的には、上記電流値出力装置１０の後段に、上記ＯＮ／ＯＦＦ信号のＯＮ時間が所定の時間以上継続した場合にはパルス信号を出力する電流増加パルス発生手段２１と、上記出力されたパルスのパルス数を積算するカウンタ２２と、このカウンタ２２で積算されたパルス数が所定の値を超えたときに警報を発する警報装置２３とを備え、上記電流値出力装置１０の出力値に基づいてモータ電流を監視するとともに、上記電源線２に流れる電流が所定期間増加し続けた場合には警報を発するように構成したものである。
上記電流増加パルス発生手段２１としては様々な構成が考えられるが、例えば、第４図に示すように、上記ＯＮ／ＯＦＦ信号Ｐｋの立ち上げ時から、規定の電流値あるいは許容電流値に対応する所定の時間Ｔｚ後に上記ＯＮ／ＯＦＦ信号Ｐｋに対してゲートを開き、上記時間Ｔｚにおいて、上記ＯＮ／ＯＦＦ信号ＰｋがまだＯＮ状態を継続している場合には、上記電源線に流れる電流値が増加していると判断して電流増加パルスｐｚを発生させてこれをカウンタ２２に送り、上記ＯＮ／ＯＦＦ信号ＰｋがＯＦＦ状態に戻っていれば電流値は変化していないと判断してカウントしないようにすればよい。
カウンタ２２では上記出力されたパルスのパルス数をカウントする。そして、このカウントされたパルス数が所定の値を超えたときに、警報装置２３を作動させて警報を発するようにすれば、モータ１の電源線２に流れる電流が異常に増加していることを作業者に警告することが可能となる。
なお、上記ＯＮ／ＯＦＦ信号ＰｋのＯＮ時間あるいはＯＦＦ時間の長さを監視する手段については、上記電流増加パルス発生手段２１とカウンタ２２とから構成するものに限らず、上記ＯＮ時間あるいはＯＦＦ時間を積分してその積分値を監視するなど、他の方法を用いることも可能である。
このように、本最良の形態１によれば、モータ１の電源線２に流れる交流電流を計測する電流計測手段１１と、上記計測された電流値を増幅して電流値の大きさを検出する検出回路１２と、上記検出された電流値の大きさを時間間隔（継続時間）に変換する信号変換部１３と、所定時間毎に、上記時間間隔だけＯＮ状態あるいはＯＦＦ状態が継続するＯＮ／ＯＦＦ信号を順次出力するＯＮ／ＯＦＦ信号出力部１４とを備え、所定時間毎に、上記電流値の大きさに対応するパルス幅を有するパルス信号（デジタル信号）として出力するようにしたので、簡単な構成で、所定時間毎に計測値の大きさを表わす信号を出力することができる。
また、上記構成の電流値出力装置１０を用いることにより、電源線に流れる電流値の増加を監視する電源電流監視装置を構成することができる。このとき、上記電流値出力装置１０から出力される信号は２値の信号であるので、電流監視手段２０へ接続する際にも接続線が２本で済むので、装置の構成を簡易化することができる。
なお、上記最良の形態１では、電流計測手段１１及び検出回路１２を内蔵した形態の電流値出力装置１０について説明したが、一般に、計測手段で測定する電流値は、例えば、モータ電流ならば０〜５Ａや０〜１Ａなどのように規格化されており、その出力値（計測信号）も電圧換算されて出力される場合が多い。
したがって、第５図に示すような、計測された計測値を入力し、上記計測値をその大きさに対応する時間幅に変換する信号変換部３３と、所定の時間毎に、上記時間幅に対応する時間だけ、ＯＮ状態あるいはＯＦＦ状態が継続するＯＮ／ＯＦＦ信号を出力するＯＮ／ＯＦＦ信号出力部３４とを備えた計測器出力装置３０を用いることにより、モータ電流等の計測された電流値などの計測値を上記のようなＯＮ／ＯＦＦ信号として出力することも可能である。
具体的には、電流計測手段１１Ｚが、電流センサ１１ｚとこの電流センサ１１ｚで検出された電流値を電圧に変換する検出回路１２ｚを備えたものである場合には、上記信号変換部３３に、上記電流計測手段１１Ｚの検出回路１２ｚから出力された電圧を入力端子３０ａ，３０ｂから入力し、これを信号変換部３３にて上記電圧の大きさに対応する時間間隔に変換してＯＮ／ＯＦＦ信号出力部３４に送って、所定時間毎に、上記電流値に相当する時間間隔だけＯＮ状態あるいはＯＦＦ状態が継続するＯＮ／ＯＦＦ信号を、出力端子３０ｃ，３０ｄから順次出力するようにすればよい。
あるいは、第６図に示すように、検出回路３２のみを内蔵した計測器出力装置３０Ｚを構成してもよい。この計測器出力装置３０Ｚでは、電流計測手段１１で計測された電流信号を検出回路３２に入力し、この検出回路３２にて上記電流信号を増幅して電流値の大きさを検出し（電圧変換し）、上記信号変換部３３に送る。なお、以下の動作については、上記電流値出力装置１０、計測器出力装置３０と同様であるので省略する。
また、上記例では、導線に流れる電流の計測値を出力する電流値出力装置１０と、電流計測手段１１で計測された電流信号を入力してこれを電流の計測値を出力する電流値として出力する計測器出力装置３０，３０Ｚについて説明したが、本発明はこれに限るものではなく、差動変圧器、圧力センサ、温度センサなどの各種センサにより計測された変位量、容器内の圧力、温度などの計測値の大きさを出力する計測値出力装置に適用することが可能である。
また、上記のような各種センサの出力だけではなく、計測器で計測した周波数をＦ−Ｖ変換した周波数値を出力するような出力装置を構成することも可能である。
最良の形態２．
上記最良の形態１では、電流計測手段１１のような、１台の計測器あるいはセンサにより計測された計測値を出力する出力装置について説明したが、上記計測器出力装置３０，３０Ｚを複数台用いることにより、複数台の計測器あるいはセンサにより計測された計測値を出力する出力装置を構成することができる。
第７図は、本最良の形態２に係る計測値出力装置３０Ｔの構成を示す図で、３０Ａ〜３０Ｃは複数の計測器１１Ａ〜１１Ｃで計測されたそれぞれの計測値の大きさを時間間隔（継続時間）に変換する信号変換部３３と、所定時間毎に、上記時間間隔だけＯＮ状態あるいはＯＦＦ状態が継続するＯＮ／ＯＦＦ信号を順次出力するＯＮ／ＯＦＦ信号出力手段３４とを備えた計測値変換装置であるＯＮ／ＯＦＦ信号出力装置、３５は上記各ＯＮ／ＯＦＦ信号出力装置３０Ａ〜３０Ｃの出力を合成して、上記各計測器１１Ａ〜１１Ｃで計測されたそれぞれの計測値の大きさを表わすＯＮ／ＯＦＦ信号を所定の時間間隔で順次出力する信号合成回路、３０ｃ，３０ｄはその出力端子である。
上記計測器１１Ａ〜１１Ｃとしては、例えば、図示しない加圧装置内の温度を測定する温度センサ１１ａとその検出回路１２ａとを備えた温度計測器、上記加圧装置内の圧力を測定する圧力センサ１１ｂとその検出回路１２ｂとを備えた圧力計測器、加圧装置に供給する電流を測定する電流センサ１１ｃとその検出回路１２ｃとを備え、温度、圧力、電流などの各計測値をアナログ信号として出力する電流計測器などの各種計測器を用いることができる。
上記ＯＮ／ＯＦＦ信号出力装置３０Ａ〜３０Ｃは、それぞれ、検出された温度、圧力、電流値等の計測値の大きさをデジタル信号として出力する際に、１個のパルス信号（ＯＮ／ＯＦＦ信号）として出力するもので、上記計測値の大きさの情報を上記パルス信号のパルス幅として表わす。
具体的には所定時間毎に出力レベルをＯＦＦ状態からＯＮ状態に切換え、上記信号変換部１１で算出された計測値の大きさに相当する継続時間が経過した後に、上記出力をＯＮ状態からＯＦＦ状態に戻すようにするとともに、信号合成回路３５において、上記各ＯＮ／ＯＦＦ信号を合成し、第８図（ａ），（ｂ）に示すように、所定の時間間隔で上記各ＯＮ／ＯＦＦ信号を順次出力する。
例えば、ある時刻ｔ１において、温度が８０℃、圧力が１．５ＭＰａ、電流値が１０Ａであり、所定時間Ｔｐが経過した後の計測時間ｔ１＋Ｔｐにおいては、温度が９０℃、圧力が１．６ＭＰａ、電流値が１２Ａであったとすると、計測値出力装置１０では、時刻ｔ１に対応して、８０℃の温度に相当するパルス幅が０．８ｓｅｃ．のＯＮ／ＯＦＦ信号（パルス信号）Ｐ１が出力端子３０ｃ，３０ｄから出力され、次いで、上記ＯＮ／ＯＦＦ信号Ｐ１から時間間隔Ｔａだけ遅れて、１．５ＭＰａの圧力に相当するパルス幅が１．５ｓｅｃ．のＯＮ／ＯＦＦ信号Ｐ２が出力され、更に、上記ＯＮ／ＯＦＦ信号Ｐ２から時間間隔Ｔｂだけ遅れて、１０Ａの電流値に相当するパルス幅が１．０ｓｅｃ．のＯＮ／ＯＦＦ信号Ｐ３が出力される。
そして、上記ＯＮ／ＯＦＦ信号Ｐ１から所定時間Ｔｐが経過した時刻ｔ１＋Ｔｐに対応して、時刻ｔ１＋Ｔｐにおいて計測された上記温度（９０℃）、圧力（１．６ＭＰａ）、及び、電流値（１２Ａ）に相当するパルス幅を有するＯＮ／ＯＦＦ信号Ｐ１，Ｐ２，Ｐ３が順次出力される（但し、Ｔｐ≫Ｔａ，Ｔｂ）。
なお、このとき、各ＯＮ／ＯＦＦ信号Ｐ１，Ｐ２，Ｐ３の前に、当該計測値を表わすパルス幅の小さなパルス信号（スタートビット）ｓ１，ｓ２，ｓ３を出力するようにしておけば、上記出力されるＯＮ／ＯＦＦ信号Ｐ１，Ｐ２，Ｐ３がどの計測値を指しているかを明確に区別することが可能となる。
このように、本最良の形態２の計測値出力装置３０Ｔは、複数の計測器１１Ａ〜１１Ｃで計測されたそれぞれの計測値を、上記検出された計測値の大きさを時間間隔に変換し上記時間間隔だけＯＮ状態あるいはＯＦＦ状態が継続するＯＮ／ＯＦＦ信号を所定の時間毎に順次出力するＯＮ／ＯＦＦ信号出力手段３０Ａ〜３０Ｃと、上記各ＯＮ／ＯＦＦ信号出力手段３０Ａ〜３０Ｃの出力を合成して、各ＯＮ／ＯＦＦ信号を所定の時間間隔で順次出力する信号合成回路３５を備え、上記各計測値の大きさを表わす複数のＯＮ／ＯＦＦ信号を所定の時間間隔で順次出力するようにしたので、簡単な構成で、監視等に用いられる複数種類の計測値を所定時間毎に出力することができる。
また、計測値出力装置３０Ｔは、２値の信号である、上記計測値の大きさを表わすパルス幅を有するＯＮ／ＯＦＦ信号Ｐ１，Ｐ２，Ｐ３をシリーズに順次出力するようにしているので、例えば、マイクロコンピュータなどへ接続する際にも、接続線が２本（信号線は１本）で済むので、従来の方法に比較して、設備的にもコスト的にも著しく有利である。
なお、上記最良の形態２では、信号合成回路３５を用いて、上記ＯＮ／ＯＦＦ信号Ｐ１，Ｐ２，Ｐ３をシリーズに順次出力するようにしたが、上記信号合成回路３５に代えて、第９図に示すように、各ＯＮ／ＯＦＦ信号Ｐ１，Ｐ２，Ｐ３の出力タイミングを制御するＯＮ／ＯＦＦ信号出力タイミング制御手段３６を備えた計測値出力装置３０Ｍを用いても同様の効果を得ることができる。
上記ＯＮ／ＯＦＦ信号出力タイミング制御手段３６としては、例えば、温度の計測値を出力する第１のＯＮ／ＯＦＦ信号出力装置３０Ａでは所定時間Ｔｐ毎にＯＮ／ＯＦＦ信号Ｐ１を出力端子３０ｃ，３０ｄから出力し、圧力の計測値を出力する第２のＯＮ／ＯＦＦ信号出力装置３０Ｂでは所定時間Ｔｐ＋Ｔａ毎にＯＮ／ＯＦＦ信号Ｐ２を出力し、電流値の計測値を出力する第３のＯＮ／ＯＦＦ信号出力装置３０Ｃでは、所定時間Ｔｐ＋Ｔａ＋Ｔｂ毎にＯＮ／ＯＦＦ信号Ｐ３を出力するようにＯＮ／ＯＦＦ信号出力装置３０Ａ〜３０Ｃを制御する構成とすれば、上記第８図と同様のＯＮ／ＯＦＦ信号の列を出力することができる。
最良の形態３．
上記最良の形態２では、１つの装置（加圧装置）の複数の計測値をシリーズで出力する場合について説明したが、複数の装置あるいは機器の計測値をシリーズで出力することも可能である。更には、上記計測値出力装置３０Ｔ，３０Ｍ等の出力であるＯＮ／ＯＦＦ信号のＯＮ時間またはＯＦＦ時間の長さを監視する監視手段を設けることにより、計測値の値を監視する計測値監視装置を構成することも可能である。
第１０図はその一例である圧力監視装置４０の構成を示す図で、この圧力監視装置４０は、図示しないｋ台のモールド装置の圧力を所定時間毎に監視する装置で、ｋ台のモールド装置それぞれに取付けられた圧力センサ１５ａ，１５ｂ，‥‥，１５ｋ、及び、その検出回路１６ａ，１６ｂ，‥‥，１６ｋを備え、検出した圧力値をそれぞれアナログ信号として出力する圧力検出装置１５Ａ〜１５Ｋで検出された圧力値の大きさを、上記ＯＮ／ＯＦＦ信号出力装置３０と同構成のＯＮ／ＯＦＦ信号出力装置４０Ａ〜４０Ｋにより、各圧力値の大きさに相当するパルス幅を有するＯＮ／ＯＦＦ信号として出力するもので、ここでは、上記計測値出力装置３０Ｍで用いたものと同様の、ＯＮ／ＯＦＦ信号出力タイミング制御手段４６により、第１１図に示すようなパルス列を、出力端子４０ａ，４０ｂから、ＯＮ／ＯＦＦ信号のＯＮ時間またはＯＦＦ時間の長さを監視する圧力監視手段４７に出力する。圧力監視手段４７では、上記各ＯＮ／ＯＦＦ信号のＯＮ時間またはＯＦＦ時間の長さを順次監視して、上記ｋ台のモールド装置のそれぞれの圧力の計測値を監視する。
このとき、上記各ＯＮ／ＯＦＦ信号のパルス列としては、１台毎にスタートビットを付けても良いが、モールド装置の種類や設定温度毎にモールド装置を数台毎のグループに分け、上記グループ毎にスタートビットｓ１，ｓ２，ｓ３を付けて出力するようにしてもよい。
なお、上記最良の形態２，３では、複数台のＯＮ／ＯＦＦ信号出力装置３０を用いて複数の計測器１１Ａ〜１１Ｃで計測されたそれぞれの計測値の大きさをＯＮ／ＯＦＦ信号のパルス列として出力する場合について説明したが、第１２図に示すように、ＯＮ／ＯＦＦ信号出力装置３０の前段に、上記計測器１１Ａ〜１１Ｃ接続され、上記各計測器１１Ａ〜１１Ｃの出力を選択してＯＮ／ＯＦＦ信号出力装置３０の信号変換部３３に送る入力信号切換手段５１を設けるとともに、予め設定された時間間隔で上記入力信号切換手段５１の切換動作を制御する切換制御手段５２を設けて、上記各計測器１１Ａ〜１１Ｃからの出力を順次ＯＮ／ＯＦＦ信号のパルス列として出力する計測値出力装置５０を構成することも可能である。
また、第１３図に示すように、図示しない生産ラインのｋ台のモータの電流値を、電流センサ１７ａ，１７ｂ，‥‥，１７ｋ、及び、その検出回路１８ａ，１８ｂ，‥‥，１８ｋを備えた電流検出装置１７Ａ〜１７Ｋで検出し、これらの電流値を上記計測値出力装置５０に入力して、順次ＯＮ／ＯＦＦ信号のパルス列として出力することも可能である。
産業上の利用可能性
以上説明したように、本発明によれば、所定の時間毎に、計測された計測値の大きさに対応する時間だけ、ＯＮ状態あるいはＯＦＦ状態が継続するＯＮ／ＯＦＦ信号を出力する手段を設けることにより、簡単な構成で、所定時間毎に計測値の大きさを表わす信号を出力することのできる計測値出力装置を得ることができる。また、本発明の出力装置から出力される信号は２値の信号であるので、例えば、マイクロコンピュータなどへの接続を容易にすることができる。
また、上記計測値出力装置を複数台備え、上記複数のＯＮ／ＯＦＦ信号を所定の時間間隔で順次出力するようにしたので、簡単な構成で、所定時間毎に計測値の大きさを表わす複数の信号をシリーズに出力することができる。
また、導線に流れる電流を計測する電流計測手段と、所定の時間毎に、上記計測された電流の大きさに対応する時間だけＯＮ状態あるいはＯＦＦ状態が継続するＯＮ／ＯＦＦ信号を順次出力するＯＮ／ＯＦＦ信号出力手段とを備えた電流値出力装置を構成することにより、簡単な構成で、導線に流れる電流値を計測して出力することができる。
【図面の簡単な説明】
第１図は、本発明の最良の形態１に係る電流値出力装置の構成を示す機能ブロック図である。
第２図は、本最良の形態１に係る電流値出力装置の動作を示す図である。
第３図は、本発明による電源電流監視装置の構成を示す図である。
第４図は、本発明による電源電流監視装置の動作を示す図である。
第５図は、本発明による電流値出力装置の他の構成を示す図である。
第６図は、本発明による電流値出力装置の他の構成を示す図である。
第７図は、本発明の最良の形態２に係る電流値出力装置の構成を示す機能ブロック図である。
第８図は、本最良の形態２に係る電流値出力装置の動作を示す図である。
第９図は、本発明による電流値出力装置の他の構成を示す図である。
第１０図は、本最良の形態３に係る圧力監視装置の構成を示す図である。
第１１図は、本最良の形態３に係る圧力監視装置の動作を示す図である。
第１２図は、本発明による電流値出力装置の他の構成を示す図である。
第１３図は、本発明による電流値出力装置の他の構成を示す図である。
第１４図は、従来の電流値出力装置の構成を示す図である。
第１５図は、モータ電流値の監視方法を示す図である。
【図１】
2003065059.tif 000003
【図２】
2003065059.tif 000004
【図３】
2003065059.tif 000005
【図４】
2003065059.tif 000006
【図５】
2003065059.tif 000007
【図６】
2003065059.tif 000008
【図７】
2003065059.tif 000009
【図８】
2003065059.tif 000010
【図９】
2003065059.tif 000011
【図１０】
2003065059.tif 000012
【図１１】
2003065059.tif 000013
【図１２】
2003065059.tif 000014
【図１３】
2003065059.tif 000015
【図１４】
2003065059.tif 000016
【図１５】
2003065059.tif 000017
【国際調査報告】
2003065059.tif 000018
2003065059.tif 000019
2003065059.tif 000020